(57)【要約】      （修正有）【課題】暖房能力の微調整が行えるとともに、スイッチ操作を簡単にした電気ストーブのスイッチを提供する。【解決手段】ストーブ本体内部に設けられた複数本の発熱体と、発熱体への通電を入り切りするするとともに発熱量を調節する可変抵抗付きのロータリースイッチと、ロータリースイッチを回動する摘みとからなり、摘みをストーブ本体のケース外部に設けた。【選択図】図１
0003115977.tif 000002
【実用新案登録請求の範囲】
【請求項１】
ストーブ本体内部に設けられた複数本の発熱体と、前記発熱体への通電を入り切りするするとともに発熱量を調節する可変抵抗付きのロータリースイッチと、前記ロータリースイッチを回動する摘みとからなり、前記摘みを前記ストーブ本体のケース外部に設けたことを特徴とする、電気ストーブのスイッチ。
【考案の詳細な説明】
【技術分野】
【０００１】  この考案は、赤熱する発熱体を用いた電気ストーブのスイッチに関する。
【背景技術】
【０００２】  従来、この種の電気ストーブは図６に示すように発熱体１０１を複数本設置しており、摘み１０２を回動して発熱体１０１への通電を切り替え、好みの暖房能力が得られるようになっている。
即ち、図６（Ａ）に示すように例えば３本の発熱体１０１，１０１，１０１が設置されてあって、１本の発熱体１０１の出力が３００Ｗとすると、図６（Ｂ）に示すように摘み（ロータリースイッチ）１０２を回転操作しながら３００Ｗ，６００Ｗ，９００Ｗと切り替えていくことができる。
また、図７に示すように電源スイッチ１０３と切替スイッチ１０４を別々に設けたものは、先ず電源スイッチ１０３を押し、次いで好みの切替スイッチ１０４を押して出力を切り替えるようになっている。
【考案の開示】
【考案が解決しようとする課題】
【０００３】  上記の電気ストーブのスイッチでは、次のような問題点がある。
＜イ＞前者は、ロータリースイッチで３００Ｗ，６００Ｗ，９００Ｗと３段階に切り替えていくだけであり、暖房能力の微調整を行うことができない。
＜ロ＞また、スイッチを入れた瞬間に３００Ｗとなるため、突入電流が大きくなる。
＜ハ＞後者のそれぞれのスイッチを指で押す場合も前記同様の問題点があり、さらにスイッチの数が増えるとともに、操作も面倒である。【０００４】  本考案は、以上の問題点に鑑みて考案したもので、暖房能力の微調整が行えるとともに、スイッチ操作を簡単にした電気ストーブのスイッチを提供することを目的とする。
【課題を解決するための手段】
【０００５】  上記のような目的を達成するために、本考案の電気ストーブのスイッチは、ストーブ本体内部に設けられた複数本の発熱体と、前記発熱体への通電を入り切りするするとともに発熱量を調節する可変抵抗付きのロータリースイッチと、前記ロータリースイッチを回動する摘みとからなり、前記摘みを前記ストーブ本体のケース外部に設けたことを特徴とするものである。【０００６】  上記構成によれば、発熱体の発熱量を可変抵抗付きのロータリースイッチで調節するものであるから、摘みを介して少しずつロータリースイッチを回動することで発熱体の発熱量を徐々に変化させることができ、暖房能力の微調整を行うことができる。
また、ロータリースイッチを回動する摘みをストーブ本体のケース外部に設けたので、人が簡単に操作することができる。
さらに、ロータリースイッチは発熱体の通電を入り切りするスイッチも兼ねているため、従来のようにスイッチを増やす必要がない。
【考案の効果】
【０００７】  本考案は、以上説明したようになるから、次のような効果を得ることができる。
＜イ＞発熱体を３００Ｗ，６００Ｗ，９００Ｗのように各段階に切り替えていくことなく、摘みの回転角に応じた量だけ出力を調整できるので、暖房能力の微調整を行うことができる。
＜ロ＞スイッチを入れてから徐々に抵抗を変えていくため、突入電流を小さくすることができる。
＜ハ＞電源スイッチと可変抵抗器を同一の摘みで操作するようにしたので、スイッチの数が増えることがなく、操作も楽である。
【考案を実施するための最良の形態】
【０００８】  以下、図面を参照しながら、本考案に係る実施の形態について説明する。
図１は電気ストーブの斜視図で、図２は摘みを示す図である。図３は可変抵抗を示す説明図である。図４は電気回路の一例を示す概略図である。図５は発熱体の一例を示す斜視図である。図６は従来の電気ストーブのスイッチを示す図で、（Ａ）は電気ストーブの外観図、（Ｂ）はスイッチ部を示す図である。図７は従来の電気ストーブのスイッチを示す他の例である。【０００９】＜イ＞電気ストーブ
図１に示すように、電気ストーブ１はケース本体１０、支柱１１、これらを支える台１２からなる通常の電気ストーブである。
ケース本体１０の正面には発熱体２が垂直方向に３本設けられ、またケース本体１０の側面上方には摘み３６が設けられている。
摘み３６の先は、後述するロータリースイッチ３の回転軸３３が取り付けられ、摘み３６を介して回転軸３３を回転しながらロータリースイッチ３を操作することができる。
このロータリースイッチ３は、発熱体２と直列に接続されている（図４参照）。
図４において、４は電源であり、３０は可変抵抗で、３５は電源スイッチである。【００１０】  本例では発熱体２は炭素系発熱体で、例えば図５に示すように、両端に端子２２を形成したフェルト状の炭素繊維２０を筒状の石英ガラス管２１の内部に封入し、碍子２３を介してリード線２４に接続した構造である。
リード線２４から導通することによって、炭素繊維２０が発熱し、暖房器具として作用する。
発熱体２は、通電することで発熱するものであれば、炭素系発熱体に限らずどんなものでもよい。
発熱体２の前面であって、ケース本体１０の正面には植毛等が施された保護カバー１３が設けられている。【００１１】  ＜ロ＞ロータリースイッチ
本考案のロータリースイッチは、発熱体２への通電を入り切りするとともに発熱量を調節する機能を有する。
ロータリースイッチとしては、抵抗値を変えられる可変抵抗付きロータリースイッチ３が考えられる。
図１〜図４に基づいて可変抵抗付きロータリースイッチ（以下、ロータリースイッチという）３を説明する。
ロータリースイッチ３は、可変抵抗３０と電源スイッチ３５とからなる。
本体ケース１０の側面から突出している摘み３６に回転軸３３を接続し、さらに回転軸３３には摺動子（金属片）３２を一体に取り付けてある。
このため、摘み３６の回転操作に連動して摺動子３２が回転軸３３を中心にして回動するようになっている。
摺動子３２に接するように抵抗体３１が設けられている。
抵抗体３１は、例えば炭素粉末と樹脂結合剤の混合物を塗布、焼付け、あるいはベークライトの絶縁基板に黒鉛粉末を塗ったものなどで構成し、馬蹄形に加工してある。
抵抗体３１の両端及び摺動子３２の一端には、それぞれ端子３４，３４，３４が設けられている。
このため、抵抗体３１の表面を摺動子３２が接触しながら回転していくことによって、抵抗体３１の一端と摺動子３２の端子間３４，３４の抵抗値が変化することになる。
可変抵抗３０は以上述べたものに限定されることなく、一つの固定端子ともう一つの可動端子をもっており、可動端子は抵抗の上をスリ運動によって移りかわり、これによって端子間の抵抗値が変わるものであればよく、あるいは抵抗そのものの上を弾条で摩擦接触する炭素皮膜可変抵抗器でもよい。【００１２】  抵抗体３１の両端部に、スタート側ストッパ３７とエンド側ストッパ３８をそれぞれ設け、スタート側ストッパ３７の箇所に電源スイッチ３５（図４参照）を設けてある。
スタート側ストッパ３７とエンド側ストッパ３８は、摺動子３２の回転量を制限するためのものである。
摺動子３２をスタート側ストッパ３７の位置から図３の時計方向へ回転したとき、電源スイッチ３５をオンするようになっている。
したがって、本考案のロータリースイッチ３は、摘み３６を時計方向へ回転操作することで発熱体２の電源が入り、そのまま回転すれば出力（発熱量）を調節できるようになっている。
摘み３６に指標を刻印し、ケース本体１０にも「ＯＦＦ」、「弱」、「強」などの文字を刻印しておけば容易に発熱量を調節することができる（図２参照）。【００１３】＜ハ＞作用
先ず摘み３６を「ＯＦＦ」の位置から回して電源スイッチ３５をオンし、電源４から発熱体２に通電する。
摘み３６を「弱」の位置に合わせて「弱」の暖房運転とする。
さらに摘み３６を回して「強」の位置に合わせると、強の暖房運転となる。
摘み３６は、「弱」から「強」の間のどの位置にも回すことができる。
摘み３６を少しずつ回しながら発熱量を徐々に上げたり、下げたりして好みの暖房温度とする。
本考案では、摘み３６に接続された回転軸３３を回転操作することによって、摺動子３２を抵抗体３１上で回転させて抵抗値を変化させ、発熱体２の発熱量を調節するものであるから、簡単に好みの暖房温度とすることができる。
夜間の就寝時には、摘み３６を「ＯＦＦ」と「弱」の間にし、電気ストーブに物が触れても火災に到らない程度の低温の保温運転に切り換えて使用する。【００１４】  従来の電気ストーブでは、摘み１０２を次々と切り替えて３００Ｗ，６００Ｗ，９００Ｗのごとく暖房能力を切り替えるものであったが、本考案の電気ストーブのスイッチによれば摘み３６の回転量に応じて発熱体２の発熱量を徐々に変化させることができるので、暖房能力の微調整が可能であるほか、突入電流を小さくすることができる。
このように本考案の電気ストーブは暖房能力の微調整が可能であるため、例えば昼間はその赤熱する電気ストーブが視覚的にも暖房効果をもたらすが、夜間の就寝時には逆に使用者がまぶしいと感じることがない程度に暖房能力を設定することもでき、さらに火災に至らない程度の低温の保温運転に切り換えれば、就寝中の使用にも不安を感じることなく、安全に使用することができる。
さらに本考案の電気ストーブのスイッチによれば、発熱体２への通電を入り切りするとともに発熱量を調整するようになっているので、従来のようにスイッチを増やす必要がない。
【図面の簡単な説明】
【００１５】
【図１】電気ストーブの斜視図。
【図２】スイッチ部を示す図。
【図３】可変抵抗器を示す説明図。
【図４】電気回路の一例を示す概略図。
【図５】発熱体の一例を示す斜視図。
【図６】従来の電気ストーブを示す図で、（Ａ）は電気ストーブの外観図、（Ｂ）はスイッチ部を示す図。
【図７】従来の電気ストーブの他のスイッチ部を示す図。
【符号の説明】
【００１６】１・・・・電気ストーブ
２・・・・発熱体
３・・・・可変抵抗付きロータリースイッチ
３０・・・可変抵抗
３１・・・抵抗体
３２・・・摺動子
３５・・・電源スイッチ
３６・・・摘み
４・・・・電源
【図１】
0003115977.tif 000003
【図２】
0003115977.tif 000004
【図３】
0003115977.tif 000005
【図４】
0003115977.tif 000006
【図５】
0003115977.tif 000007
【図６】
0003115977.tif 000008
【図７】
0003115977.tif 000009